(57)【要約】【課題】  給湯システムに備えられるアンテナ本体のアンテナ線を適切に配線して設計自由度又は設置自由度を高めることができる給湯システム用アンテナを提供すること。【解決手段】  アンテナ本体と、取付具と、を備え、アンテナ本体は、設置面と、その設置面からアンテナ本体の外部に延びるアンテナ線と、を備え、取付具は、アンテナ本体の設置面を取り付ける本体設置部分と、取付具をアンテナ取付面に取り付ける取付部分と、を備え、本体設置部分は、アンテナ本体の設置面を貼り付ける本体貼付部と、アンテナ線を通す挿通部と、を有し、取付部分は、挿通部を回避するように本体設置部分から所定距離以上離間させて配置する。【選択図】  図１
2017011428.tif 000002
【特許請求の範囲】
【請求項１】
給湯器を備える給湯システム用アンテナであって、
アンテナ本体と、取付具と、を備え、
前記アンテナ本体は、設置面と、その設置面から該アンテナ本体の外部に延びるアンテナ線と、を備え、
前記取付具は、前記アンテナ本体の前記設置面を取り付ける本体設置部分と、該取付具をアンテナ取付面に取り付ける取付部分と、を備え、
前記本体設置部分は、前記アンテナ本体の前記設置面を貼り付ける本体貼付部と、前記アンテナ線を通す挿通部と、を有し、
前記取付部分は、前記挿通部を回避するように前記本体設置部分から所定距離以上離間させた位置に配置されている、ことを特徴とする給湯システム用アンテナ。
【請求項２】
前記取付部分は、前記本体貼付部の面と反対面に、該取付部分をアンテナ取付面に貼り付けるための貼付部材を備えている、請求項１に記載の給湯システム用アンテナ。
【請求項３】
前記取付具は、前記本体設置部分から前記アンテナ本体に設定された設定距離以上離間させた位置に、前記本体設置部分の面と直交する方向に延びる交差部分を有している、請求項１又は２に記載の給湯システム用アンテナ。
【請求項４】
前記交差部分は、前記本体貼付部の面と反対面に、該交差部分をアンテナ取付面に貼り付けるための貼付部材を備えている、請求項３に記載の給湯システム用アンテナ。
【請求項５】
前記交差部分は、該交差部分を前記アンテナ取付面に締結部材で固定する開口部を備えている、請求項３又は４に記載の給湯システム用アンテナ。
【請求項６】
給湯システムと該給湯システム以外の通信装置との間で行われる通信を中継する中継装置に備えられる、請求項１〜５のいずれか１項に記載の給湯システム用アンテナ。
【発明の詳細な説明】
【技術分野】
【０００１】
本発明は、給湯システムに用いられるアンテナに関する。
【背景技術】
【０００２】
従来、給湯器を備えた給湯システムにおいて、広域通信網を介して、管理サーバなどとの間で情報の送受信を行えるように構成されたものがある。このような給湯システムには、給湯システムと広域通信網との間で情報の送受信を行うための中継装置が備えられており、この中継装置には広域通信網に接続可能なアンテナが備えられている。一般的な中継装置の筐体は金属類であるため、アンテナは筐体の外側に設置する必要がある。
【０００３】
広域通信網に接続可能なアンテナとしては、広域通信網を運営／維持する事業者から販売されている汎用アンテナがある。この汎用アンテナは、アンテナ本体と、このアンテナ本体から外部に延びるアンテナ線とを有している。
【０００４】
一般的な汎用アンテナは、事業者によって設置面が定められており、その設置面からアンテナ線が出たものがある。汎用アンテナは、設置面以外を設置した場合には通信が難しくなるため、アンテナ線が設けられた設置面を設置して用いられる。
【０００５】
なお、この種の先行技術として、給湯システムにおいて、ワイヤレスリモコンと通信するための通信ユニットを給湯器の下部取付板に固定し、その通信ユニットのアンテナを水平方向に伸縮可能としたものがある（例えば、特許文献１参照）。
【０００６】
また、他の先行技術として、給湯器の筐体の上面に、絶縁材料で構成された固定具によってアンテナを取り付けるものもある（例えば、特許文献２参照）。
【０００７】
さらに、他の先行技術として、給湯器の金属筐体の一部に形成された排気口及び給気口のスリットに、無線通信部より無線信号を給電する給電部を備えさせたアンテナもある（例えば、特許文献３参照）。
【先行技術文献】
【特許文献】
【０００８】
【特許文献１】特開平１０−２８５６７２号公報
【特許文献２】特許第３２６１８３１号公報
【特許文献３】特許第３６１７２１８号公報
【発明の概要】
【発明が解決しようとする課題】
【０００９】
しかし、上記いずれの先行技術も、独自のアンテナを設けたものであり、上記したようにアンテナ本体の設置面にアンテナ線が設けられた汎用アンテナを用いるものではなく、汎用アンテナを金属筐体などに直接取り付けることについて何ら記載されていない。
【００１０】
そのため、上記したアンテナ本体を中継装置の金属筐体などに取り付けるためには、筐体の上部位置に導入穴を設けることが考えられる。しかし、筐体の上部位置に導入穴を設けた場合、中継装置は屋外に設置することがあるため、その導入穴から中継装置内に水が浸入しないようにシールする必要があり、中継装置の設計自由度又は設置自由度が制限される。
【００１１】
また、アンテナ本体を中継装置の下面などに直接取り付けることも考えられるが、中継装置の下面では通信環境が悪くなって適さない。さらに、アンテナ本体の指向性などから中継装置から離して設置しなければならない場合もあるが、この場合にはアンテナ本体から出ているアンテナ線によって壁面などに直接取り付けることができない場合がある。
【００１２】
そこで、本発明は、給湯システムに備えられるアンテナ本体のアンテナ線を適切に配線して設計自由度又は設置自由度を高めることができる給湯システム用アンテナを提供することを目的とする。
【課題を解決するための手段】
【００１３】
上記目的を達成するために、本発明は、給湯器を備える給湯システム用アンテナであって、アンテナ本体と、取付具と、を備え、前記アンテナ本体は、設置面と、その設置面から該アンテナ本体の外部に延びるアンテナ線と、を備え、前記取付具は、前記アンテナ本体の前記設置面を取り付ける本体設置部分と、該取付具をアンテナ取付面に取り付ける取付部分と、を備え、前記本体設置部分は、前記アンテナ本体の前記設置面を貼り付ける本体貼付部と、前記アンテナ線を通す挿通部と、を有し、前記取付部分は、前記挿通部を回避するように前記本体設置部分から所定距離以上離間させて配置されている。この明細書及び特許請求の範囲の書類中における「挿通部」は、アンテナ線に無理な力を加えることなく本体設置部分を通すことができるものであればよく、例えば、穴、スリットなどを含む。また、「挿通部」は、アンテナ線が先端にコネクタを備えている場合には、このコネクタを本体設置部分に通すことができる大きさのものなども含む。
【００１４】
この構成により、アンテナ本体から出たアンテナ線は本体設置部分の挿通部を通して適切に配線し、アンテナ本体の設置面を本体貼付部に貼り付けた取付具は、給湯システムに備えられた中継装置などの高い位置や、電波状況のいい場所に取り付けでき、アンテナ線の届く範囲で電波強度のより強い位置にアンテナ本体を適切に取り付けることができる。
【００１５】
また、前記取付部分は、前記本体貼付部の面と反対面に、該取付部分をアンテナ取付面に貼り付けるための貼付部材を備えていてもよい。このように構成すれば、アンテナ取付面に対して貼付部材による取り付けが可能であれば、アンテナ本体を貼り付けた面と反対面の貼付部材で取付具を容易に取り付けることができる。
【００１６】
また、前記取付具は、前記本体設置部分から前記アンテナ本体に設定された設定距離以上離間させた位置に、前記本体設置部分の面と直交する方向に延びる交差部分を有していてもよい。この明細書及び特許請求の範囲の書類中における「設定距離」は、アンテナ本体に設定された、アンテナ本体を金属面から離す距離をいう。このように構成すれば、取付具を、アンテナ本体の設置面と平行なアンテナ取付面に対しては本体貼付部と平行な面で取り付け、アンテナ本体の設置面と直交するアンテナ取付面に対しては直交する方向に延びる交差部分で取り付けることができる。しかも、アンテナ取付面が金属面であったとしても、本体設置部分の本体貼付部に設置するアンテナ本体から金属面の交差部分までを設定距離以上とすることができ、アンテナ本体に金属面が影響しないように設置できる。
【００１７】
また、前記交差部分は、前記本体貼付部の面と反対面に、該交差部分をアンテナ取付面に貼り付けるための貼付部材を備えていてもよい。このように構成すれば、アンテナ本体の設置面と直交するアンテナ取付面が貼付部材による取り付けが可能であれば、貼付部材で取付具を容易に取り付けることができる。
【００１８】
また、前記交差部分は、該交差部分を前記アンテナ取付面に締結部材で固定する開口部を備えていてもよい。このように構成すれば、貼付部材による取り付けができない場合、開口部にビスなどの締結部材を通して壁面に取り付けることができる。
【００１９】
また、給湯システムと該給湯システム以外の通信装置との間で行われる通信を中継する中継装置に備えられるアンテナとしてもよい。このように構成すれば、給湯システムと管理ステーションなどの外部通信装置との通信を中継する中継装置のアンテナを、中継装置の設計自由度又は設置自由度を制限することなく適切に取り付けることができる。
【発明の効果】
【００２０】
本発明によれば、アンテナ本体のアンテナ線を適切に配線してアンテナ取付面へ適切に取り付けることができ、給湯システムの設計自由度又は設置自由度を高めることが可能となる。
【図面の簡単な説明】
【００２１】
【図１】図１は、本発明の第１実施形態に係る給湯システム用アンテナを示す分解斜視図である。
【図２】図２は、図１に示す給湯システム用アンテナを中継装置に取り付けた状態を示す斜視図である。
【図３】図３は、本発明の第２実施形態に係る給湯システム用アンテナを示す分解斜視図である。
【図４】図４は、図３に示す給湯システム用アンテナの異なる取付例を示す分解斜視図である。
【図５】図５は、図３に示す給湯システム用アンテナを中継装置に取り付けた状態を示す図面であり、（Ａ）は全体斜視図、（Ｂ）は給湯システム用アンテナ部分の拡大側面図である。
【図６】図６は、図４に示す給湯システム用アンテナを壁面に取り付けた状態を示す図面であり、（Ａ）は全体斜視図、（Ｂ）は給湯システム用アンテナ部分の拡大側面図である。
【図７】図７は、図３に示す給湯システム用アンテナを備えた給湯システムと外部の通信装置とを含む一例の構成図である。
【発明を実施するための形態】
【００２２】
以下、本発明の実施形態を図面に基づいて説明する。以下の実施形態では、給湯システム用アンテナ１を中継装置５０の筐体５３の上面に取り付けた例と、中継装置５０から離れた位置の壁面９０に取り付けた例とについて説明する。
【００２３】
図１に示すように、第１実施形態に係る給湯システム用アンテナ１は、アンテナ本体１０と、取付具２０と、を備えている。アンテナ本体１０は、下面の設置面１１と、その設置面１１から外部に延びるアンテナ線１２と、を備えている。このアンテナ本体１０としては、例えば、広域通信網に接続可能な汎用のアンテナ本体１０を用いることができる。この例では、矩形状に形成されたアンテナ本体１０の下面である設置面１１からアンテナ線１２が出ている。アンテナ本体１０としては、屋内及び屋外の設置環境に対応できる防滴アンテナが好ましい。
【００２４】
上記取付具２０は、平面視が長方形状の平板状に形成され、長手方向の一端側に、上記アンテナ本体１０の上記設置面１１を取り付ける本体設置部分２１が設けられている。この本体設置部分２１には、上記アンテナ本体１０の設置面１１を貼り付ける本体貼付部２２と、上記アンテナ線１２を通す挿通部２３とが設けられている。本体設置部分２１は平坦に形成され、本体貼付部２２にはアンテナ本体１０を貼り付ける両面テープ２４が貼られる。
【００２５】
また、挿通部２３は、本体設置部分２１の端部からアンテナ本体１０の設置面１１の略中央部から出ているアンテナ線１２の位置を越えるように延びるスリット状の開口となっている。挿通部２３をスリット状とすることで、アンテナ線１２を開口端部から横方向に挿入して、アンテナ本体１０の設置面１１を本体設置部分２１の両面テープ２４に貼り付ければ、アンテナ本体１０を取付具２０に取り付けることができる。挿通部２３により、本体設置部分２１に設置したアンテナ本体１０の底面から出たアンテナ線１２は、アンテナ本体１０の設置面１１から出た状態が保たれる。
【００２６】
また、上記取付具２０の長手方向の他端側には、上記本体設置部分２１から所定距離（所定距離とは、「本体設置部分２１の挿通部２３に通したアンテナ線１２を回避するように離す距離」をいう）以上離間させて、この取付具２０を中継装置５０（図２）等のアンテナ取付面に取り付ける取付部分２５が配置されている。この取付部分２５は、上記本体設置部分２１の本体貼付部２２の面と反対面に設けられている。この取付部分２５には、取付具２０を中継装置５０等に取り付ける貼付部材たる両面テープ２６が貼られる。
【００２７】
なお、この実施形態では、挿通部２３をスリット形状としているが、貫通した穴でもよく、アンテナ線１２に無理な力を加えることなく取付具２０の本体設置部分２１を通すことができるものであればよい。また、アンテナ線１２の先端に、このアンテナ線１２を中継装置５０に接続するためのコネクタ（図示せず）を備える場合であって、コネクタの径がアンテナ線１２の径よりも大きい場合にあっては、挿通部２３は、このコネクタを取付具２０の本体設置部分２１に通すことができる大きさに設定することもできる。
【００２８】
この給湯システム用アンテナ１によれば、取付具２０の本体設置部分２１に設けられた本体貼付部２２に両面テープ２４を貼り、その両面テープ２４の上面にアンテナ本体１０の設置面１１を貼る。この時、アンテナ本体１０の設置面１１から出ているアンテナ線１２は、本体設置部分２１の挿通部２３を通しておく。また、取付具２０の取付部分２５には、両面テープ２６を貼っておく。
【００２９】
図２は、上記第１実施形態の給湯システム用アンテナ１を中継装置５０の上面に取り付けた状態を示す斜視図である。図示するように、中継装置５０としては、矩形の箱状に形成されており、その前面は前面蓋５１で塞がれている。前面蓋５１は、ビス５２で中継装置５０の筐体５３に固定されている。そのため、この例では、前面蓋５１の筐体取付部分が上方へ突出した金属面となっている。そして、この中継装置５０の筐体５３の上面の、前面蓋５１から後方に離れた位置に、上記給湯システム用アンテナ１の取付具２０が両面テープ２６（図１）によって取り付けられている。
【００３０】
このように給湯システム用アンテナ１を取り付けることで、アンテナ本体１０から出ているアンテナ線１２は、取付具２０に設けられた挿通部２３を通った状態で取り付けることができるので、アンテナ線１２がアンテナ取付面に影響されることなく容易に取り付けることができる。しかも、アンテナ本体１０から出ているアンテナ線１２は、中継装置５０の筐体５３の側面に沿って下方へと延ばし、筐体５３の下面から内部に導くことができる。従って、中継装置５０におけるアンテナ線１２の雨水対策等は、筐体５３の下面で容易にできる。その上、このように前面蓋５１から後方に離して取付具２０を取り付けることで、前面蓋５１から離れた位置にアンテナ本体１０を容易に取り付けることができる。
【００３１】
図３は、第２実施形態に係る給湯システム用アンテナ２を示す分解斜視図である。第２実施形態に係る給湯システム用アンテナ２も、アンテナ本体１０と、取付具３０と、を備えている。アンテナ本体１０に関する構成は、上記第１実施形態におけるアンテナ本体１０と同一であるため、同一の構成には同一符号を付し、その詳細な説明は省略する。
【００３２】
図示するようにこの第２実施形態の取付具３０は、側面視がＬ字形状に形成されており、上記アンテナ本体１０の上記設置面１１を貼り付ける本体貼付部３２を有する本体設置部分３１が備えられた平板状の部分と、この本体設置部分３１からアンテナ本体１０の設定距離（設定距離とは、「アンテナ本体１０に設定された距離であり、アンテナ本体１０の指向性などから通信に影響しないように金属面から離す距離」をいう）以上離間させた位置で、本体設置部分３１の面と直交する方向に延びる交差部分３７とを有している。この交差部分３７は、本体設置部分３１が設けられた平板状の部材の端部を上方に屈曲させて形成する他、本体設置部分３１が設けられた平板状の部材に交差部分３７を接合して形成してもよい。
【００３３】
上記本体設置部分３１と交差部分３７との距離は、アンテナ本体１０に応じて設定された設定距離以上（例えば、３０ｍｍ以上）に設定されている。交差部分３７は、アンテナ本体１０の側面に対して対向する面となるので、設定距離以上離間させなければ通信に影響するおそれがあり、本体設置部分３１から設定距離以上離間した位置に設けられている。これにより、アンテナ本体１０を取付具３０の金属面となる交差部分３７から離して設置することができる。この設定距離は、アンテナ本体１０に応じて設定すればよい。
【００３４】
また、この実施形態では、交差部分３７に、この交差部分３７を両面テープ３６で取り付けることが難しい壁面９０（図６）などのアンテナ取付面にビス３９（図６）などの締結部材で固定する開口部３８が備えられている。この開口部３８は、２つの貫通穴としているが、１つの横長穴などの他、周囲を閉じられた穴に限られず、挿通部２３，３３のように、周縁の一部が開放されたスリット、切欠き等であってもよく、締結部材で取付具２０，３０を固定できるものであれば、他の構成でもよい。さらに、この開口部３８は、この実施形態のように交差部分３７に設けたものに限られず、図４に示すように、本体設置部分３１と同じ面にも設けておくことで（図示する二点鎖線）、取付部分３５を水平方向のアンテナ取付面などにビス３９（図６）で固定することができる。
【００３５】
図３に示す給湯システム用アンテナ２の場合、取付具３０のアンテナ本体１０の本体貼付部３２と反対面である下面側の取付部分３５に両面テープ３６を貼っている。この両面テープ３６は、アンテナ本体１０の本体設置部分３１から所定距離以上離れた位置に貼られている。この場合、取付具３０の取付部分３５を中継装置５０の筐体５３の上面等のアンテナ取付面に貼り付けて使用すれば、アンテナ本体１０の設置面１１から出ているアンテナ線１２を挿通部３３を通して適切に配線して取り付けることができる。
【００３６】
図４は、上記給湯システム用アンテナ２の取付具３０に形成された交差部分３７の、本体貼付部３２の面と反対面（取付部分３５を付す）に両面テープ３６を貼った例である。このようにＬ字形状の取付具３０の交差部分３７に両面テープ３６を貼ることで、取付具３０を中継装置５０の筐体５３の側面や、中継装置５０から離れた位置の壁面９０（図６）など、本体貼付部３２と直交するアンテナ取付面に貼り付けて使用することができる。また、この例の場合、両面テープ３６による取り付けができない壁面９０（例えば、凹凸面、コンクリート面等）の場合は、開口部３８にビス３９などの締結部材を挿入して壁面９０に取り付けることができる（図６）。
【００３７】
図５（Ａ），（Ｂ）は、上記図３に示す給湯システム用アンテナ２を中継装置５０の筐体５３に取り付けた例を示す図面である。図示するように、Ｌ字形状に形成された取付具３０の、本体貼付部２２の面と反対側の下面に両面テープ３６を設けることで、上記図２に示す取り付け方と同様に、この両面テープ３６を用いて中継装置５０の筐体５３の上面に給湯システム用アンテナ２を取り付けることができる。この場合、図２と同様に、中継装置５０の前面蓋５１から後方に離れた位置に取り付けることで、金属面となる前面蓋５１から離れた位置にアンテナ本体１０を取り付けることができる。
【００３８】
しかも、アンテナ本体１０から出ているアンテナ線１２は取付具３０に設けられた挿通部３３を通った状態で取り付けることができるので、アンテナ線１２がアンテナ取付面に影響されることなく容易に取り付けることができる。また、アンテナ線１２は、中継装置５０の筐体５３の側面に沿って下方へと延ばし、筐体５３の下面から内部に導くことができるので、アンテナ線１２のための雨水対策等も容易にできる。
【００３９】
図６（Ａ），（Ｂ）は、上記図４に示す給湯システム用アンテナ２を中継装置５０の筐体５３から離間した位置の壁面９０などに取り付ける例を示す図面である。例えば、中継装置５０を屋内に設け、アンテナ本体１０を屋外に設けたい場合などの例である。また、図示する例は、図４に示す交差部分３７を下向きにしており、アンテナ本体１０を貼る本体貼付部２２は本体設置部分２１の上下逆の面となっている。この例の場合、アンテナ取付面である壁面９０に対して両面テープ３６（図４）で取り付けができないが、取付具３０の交差部分３７に設けた開口部３８を用いてビス３９で取り付けている。
【００４０】
この給湯システム用アンテナ２によれば、アンテナ本体１０を中継装置５０以外の壁面９０などに設置する場合でも、取付具３０を壁面９０などに取り付けることができる。
【００４１】
なお、壁面９０への両面テープ３６による取り付けが可能な場合は、両面テープ３６による取り付けでもよい。また、この図では、本体設置部分３１に対して交差部分３７を下向きにした状態で取り付けているが、この交差部分３７を上向きにした状態で取り付けてもよく、交差部分３７の向きは限定されない。
【００４２】
また、上記したいずれの給湯システム用アンテナ１，２も、アンテナ本体１０を金属面から設定距離以上（例えば、３０ｍｍ以上）離間させて設けることができるので、金属面によってアンテナ本体１０の送受信に悪影響を与えることがないようにできる。
【００４３】
図７は、上記給湯システム用アンテナ２によって、給湯システム６０に備えられた中継装置５０と外部の通信装置７０との間で通信する構成の一例を示す図面である。この例の給湯システム６０としては、２台の給湯器６１，６２と、これらの給湯器６１，６２の情報を外部に送信する中継装置５０とを備えている。
【００４４】
そして、この中継装置５０によって収集された給湯器６１，６２に関する情報は、中継装置５０に設けられた給湯システム用アンテナ２によって、インターネット８０等の通信網を介して外部の通信装置７０（図では、通信装置７０を備えた管理サーバ設備を示す）に送られるようになっている。この外部に送られるデータとしては、例えば、給湯器６１，６２の燃焼時間、動作状況などがあり、このデータにより給湯器６１，６２にメンテナンスが必要かどうかの判断が遠隔地で可能となる。この例では２台の給湯器６１，６２を例に説明したが、１台の給湯器のみの情報、あるいは、より多くの給湯器の情報を外部の通信装置７０に送るようにしてもよい。
【００４５】
以上のように、上記した給湯システム用アンテナ１，２によれば、アンテナ本体１０の設置面１１に設けられたアンテナ線１２を、取付具２０，３０の本体設置部分２１，３１に設けられた挿通部２３，３３（スリット）に通し、アンテナ本体１０の設置面１１を両面テープ２４，３４で本体設置部分２１，３１の本体貼付部２２，３２に貼り付ける。そして、取付具２０，３０の取付部分２５，３５又は交差部分３７に設けられた両面テープ２６，３６を用いて中継装置５０の筐体５３などに取付具２０，３０を取り付けることで、給湯システム用アンテナ１，２を中継装置５０などのアンテナ取付面に取り付けることができる。
【００４６】
しかも、アンテナ本体１０の側面を中継装置５０などにおける金属面（前面蓋５１など）から設定距離以上離間させて取り付ける必要がある場合でも、アンテナ本体１０を取り付けた取付具２０，３０を、両面テープ２６，３６を用いて中継装置５０の筐体５３の外面などに貼り付ける最も簡便な方法で、設定距離以上離間させて取り付けることが可能となる。
【００４７】
また、取付具３０をＬ字形状とすることにより、中継装置５０の筐体５３の側面や壁面９０に両面テープ３６で取り付けることができ、両面テープ３６による取り付けができない壁面９０などの場合は、Ｌ字形状にした取付具３０の交差部分３７に設けた開口部３８にビス３９などの締結部材を挿入して取り付けることが容易にできる。
【００４８】
従って、給湯システム用アンテナ１，２を取り付けるためにアンテナ取付面への加工などを要することなく適切な取り付けが可能となり、給湯システムの設計自由度又は設置自由度を高めることが可能となる。
【００４９】
なお、上記した第１実施形態では、平板形状の取付具２０を例にし、第２実施形態ではＬ字形状の取付具３０を例にしているが、取付具２０，３０の形態は上記実施形態に限定されるものではない。例えば、Ｊ字形状など、アンテナ本体１０の設置面１１に設けられたアンテナ線１２を挿通部２３，３３に通した状態で、取付部分２５，３５を壁面９０などのアンテナ取付面に取り付けることができる形態であれば、他の形態でもよい。
【００５０】
また、上記した実施形態は一例を示しており、取付具２０，３０の形態、材質などは限定されるものではなく、取付具２０，３０の取り付け方も上記実施形態に限定されるものではなく、本発明の要旨を損なわない範囲での種々の変更は可能であり、本発明は上記した実施形態に限定されるものではない。
【符号の説明】
【００５１】
１  給湯システム用アンテナ
２  給湯システム用アンテナ
１０  アンテナ本体
１１  設置面
１２  アンテナ線
２０，３０  取付具
２１，３１  本体設置部分
２２，３２  本体貼付部
２３，３３  挿通部
２４，３４  両面テープ
２５，３５  取付部分
２６，３６  両面テープ（貼付部材）
３７  交差部分
３８  開口部
３９  ビス
５０  中継装置
５１  前面蓋
５２  ビス
５３  筐体
６０  給湯システム
６１  給湯器
６２  給湯器
７０  通信装置
８０  インターネット
９０  壁面（アンテナ取付面）
【図１】
2017011428.tif 000003
【図２】
2017011428.tif 000004
【図３】
2017011428.tif 000005
【図４】
2017011428.tif 000006
【図５】
2017011428.tif 000007
【図６】
2017011428.tif 000008
【図７】
2017011428.tif 000009